【手続補正書】
【提出日】平成18年1月30日(2006.1.30)
【手続補正１】
【補正対象書類名】特許請求の範囲
【補正対象項目名】全文
【補正方法】変更
【補正の内容】
【特許請求の範囲】
【請求項１】
ａ．部分的に架橋されたゴム濃厚物、ここで、該ゴム濃厚物は、
ｅ．少なくとも１のエラストマーおよび任意的なオイル、
ｆ．少なくとも１の熱可塑性ポリマー、および
ｇ．硬化剤、
を溶融混合することによって製造される、
ｂ．熱可塑性ポリマーおよび／または添加剤、
ｃ．任意的なオイル、および
ｄ．更なる動的架橋を開始するための硬化剤
を溶融混合することによって熱可塑性エラストマーを製造する方法。
【請求項２】
溶融混合が二軸押出機中で行われることを特徴とする、請求項１記載の方法。
【請求項３】
溶融混合が単軸押出機中で行われることを特徴とする、請求項１記載の方法。
【請求項４】
部分的に架橋されたゴム濃厚物が、
ｅ．３０〜９５重量部のエラストマーおよび０〜６０重量部のオイル
f．５〜５０重量部の熱可塑性ポリマー、および
ｇ．０．１〜１０重量部の硬化剤、
ここでエラストマー、熱可塑性ポリマー、硬化剤およびオイルの重量部の合計は１００である、
を溶融混合することによって製造されることを特徴とする請求項１記載の方法。
【請求項５】
エラストマーがＥＰＤＭまたはＥＰＭであることを特徴とする、請求項１〜４のいずれか１項記載の方法。
【請求項６】
熱可塑性ポリマーが、熱可塑性ポリオレフィンホモおよびコポリマー、リアクターＴＰＯ、ポリアミド、ポリカーボネート、ポリエステル、ポリスルホン、ポリラクトン、ポリアセタール、アクリロニトリル−ブタジエン−スチレン（ＡＢＳ）樹脂、ポリフェニレンオキシド（ＰＰＯ）、ポリフェニレンスルフィド（ＰＰＳ）、スチレン−アクリロニトリル（ＳＡＮ）樹脂、ポリイミド、スチレンマレイン酸無水物（ＳＭＡ）および芳香族ポリケトンから選択されることを特徴とする、請求項１〜５のいずれか１項記載の方法。
【請求項７】
熱可塑性ポリマーが熱可塑性ポリオレフィンホモおよびコポリマーであることを特徴とする、請求項６記載の方法。
【請求項８】
熱可塑性ポリマーがポリプロピレンホモポリマーであることを特徴とする、請求項７記載の方法。
【請求項９】
部分的に架橋されたゴム濃厚物中のエラストマーが５０％より高いゲル含量を有することを特徴とする、請求項項１〜８のいずれか１項記載の方法。
【請求項１０】
部分的に架橋されたゴム濃厚物中のエラストマーが７０％より高いゲル含量を有することを特徴とする、請求項１〜９のいずれか１項記載の方法。
【請求項１１】
ａ．１０〜９０重量部の部分的に架橋されたゴム濃厚物、
ｂ．９０〜１０重量部の熱可塑性ポリマーおよび／または添加剤、
ｃ．０〜３０重量部のオイル、および
ｄ．０．１〜１０重量部の硬化剤、 
ここで、部分的に架橋されたゴム濃厚物、熱可塑性ポリマーおよび／または添加剤、オイルおよび硬化剤の重量部の合計は１００である、
を溶融混合することによる、請求項１〜１０のいずれか１項記載の熱可塑性エラストマーの製造法。
【請求項１２】
硬化剤がフェノール樹脂、シロキサンまたは過酸化物から選択されることを特徴とする、請求項１〜１１のいずれか１項記載の方法。
【手続補正２】
【補正対象書類名】明細書
【補正対象項目名】０００４
【補正方法】変更
【補正の内容】
【０００４】
この目的は、
ａ．部分的に架橋されたゴム濃厚物、
ｂ．熱可塑性ポリマーおよび／または添加剤、
ｃ．任意的なオイル、および
ｄ．更なる動的架橋を開始するための硬化剤
を溶融混合することによって熱可塑性エラストマーを製造することにおいて達成される。
【手続補正３】
【補正対象書類名】明細書
【補正対象項目名】０００６
【補正方法】変更
【補正の内容】
【０００６】
部分的に架橋されたゴム濃厚物（ａ）は、
ｅ．少なくとも１のエラストマーおよび任意的なオイル、
ｆ．少なくとも１の熱可塑性ポリマー、および
ｇ．硬化剤、
を溶融混合することによって製造される。
【手続補正４】
【補正対象書類名】明細書
【補正対象項目名】０００７
【補正方法】変更
【補正の内容】
【０００７】
エラストマーおよび任意的なオイル（ｅ）、ならびに熱可塑性ポリマー（ｆ）が熱可塑性ポリマー（ｆ）の融点より上で溶融混合され、そして混練され、それによってエラストマー（ｅ）が、混合および混練中に架橋される。この方法は、動的架橋法としても知られる。
【手続補正５】
【補正対象書類名】明細書
【補正対象項目名】００１５
【補正方法】変更
【補正の内容】
【００１５】
任意的にオイルが添加され得る。任意の公知のオイルが使用され得る。オイルの例は、加工オイル、例えばパラフィン系オイル、ナフテン系オイルまたは芳香族系オイル、あるいはポリアルファオレフィン系オイルとしても知られるイソパラフィン系オイルである。好ましくは、水素化分解およびイソ脱ロウプロセスによって得られる高度に水素化されたオイルが使用され、例えば、Pennzoil（米国）によって供給されるPennzUltra,1199が使用される。オイルが添加される時点は、エラストマーの動的架橋の前、間または後であり得る。また、オイルは、エラストマーの動的架橋の前に一部分添加され、そして上記動的架橋の間および／または後に一部分添加されることも可能である。また、エラストマーが、例えば油展エラストマーを使用することによって、所望の量のオイルまたはその一部と前混合されていることも可能である。オイルまたはその一部がエラストマーと前混合されるとき、使用されるエラストマーの全てがオイルと前混合される必要はない。エラストマー（ｅ）は、エラストマー１００重量部につき０〜２５０重量部のオイルと前混合され得る。好ましくは、オイルの量が、エラストマー１００重量部につき１０重量部より多い。より好ましくは、エラストマー１００重量部につき２０〜２００重量部のオイルであり、さらにより好ましくは、エラストマー１００重量部につき３０〜１６０重量部のオイルである。最も好ましくは、オイルの量がエラストマー１００重量部につき１２５重量部未満のオイルである。当業者は、より低いまたはより高い硬度を有する部分的に架橋されたゴム濃厚物を達成するためにエラストマー／熱可塑性ポリマー／オイルの比を調整することができる。部分的に架橋されたゴム濃厚物は、例えば、ＡＳＴＭ  Ｄ−２２４０に従って測定される７０ショアＡ以下の硬度を有する。好ましくは、硬度が６０ショアＡ以下である。最も好ましくは、硬度が５０ショアＡ以下である。
【手続補正６】
【補正対象書類名】明細書
【補正対象項目名】００１７
【補正方法】変更
【補正の内容】
【００１７】
本発明に従う熱可塑性エラストマーの製造法は、
ａ．部分的に架橋されたゴム濃厚物、
ｂ．熱可塑性ポリマーおよび／または添加剤、
ｃ．任意的なオイル、および
ｄ．更なる動的架橋を開始するための硬化剤
を溶融混合することを含む。
【手続補正７】
【補正対象書類名】明細書
【補正対象項目名】００２１
【補正方法】変更
【補正の内容】
【００２１】
適する硬化剤（ｄ）の例は、硬化剤（ｇ）として上記に記載されている。使用される硬化剤（ｄ）は、使用される硬化剤（ｇ）と必ずしも同じである必要はない。硬化剤（ｄ）は、粉末形状もしくは液体形状であり得、または液体中に可溶であり得る。硬化剤が粉末状であるならば、部分的に架橋されたゴム濃厚物ペレットが最初に加工オイルでコーティングされ、次いで硬化剤粉末とブレンドされた後、熱可塑性ポリマーと溶融混合される。あるいは、硬化剤は、ミキサーに直接供給され得、またはミキサーに供給される前にフィラーおよび／または通常の添加剤と混合され得る。硬化剤が液体状であるならば、熱可塑性ポリマーおよび／または添加剤と溶融混合される前に、部分的に架橋されたゴム濃厚物とドライブレンドされ得る。硬化剤が液体、例えば加工オイルまたは溶媒、に可溶ならば、最初に上記液体に溶解され、次いで、ゴム濃厚物ペレット上にコーティングされた後、熱可塑性ポリマーと溶融混合される。あるいは、液体硬化剤、オイルもしくは溶媒中の硬化剤溶液、または硬化剤溶融物が、液体または液体溶液の形態でミキサーに直接投入されまたは注入され得る。
【手続補正８】
【補正対象書類名】明細書
【補正対象項目名】００２２
【補正方法】変更
【補正の内容】
【００２２】
オイル（ｃ）としては、任意の公知オイルが使用され得る。本発明の方法において使用され得るオイル（ｃ）の例は、上記した任意的なオイルのところで言及されている。使用されるオイル（ｃ）は、上記の任意的に使用されるオイルと必ずしも同じである必要はない。オイル（ｃ）が添加される時点は、熱可塑性エラストマーの動的架橋の前、間または後であり得る。また、オイルを熱可塑性エラストマーの動的架橋の前に一部分添加し、そして上記架橋の間および／または後に一部分添加することも可能である。
【手続補正９】
【補正対象書類名】明細書
【補正対象項目名】００２６
【補正方法】変更
【補正の内容】
【００２６】
本発明の方法は、例えば
ａ．１０〜９０重量部の部分的に架橋されたゴム濃厚物、
ｂ．９０〜１０重量部の熱可塑性ポリマーおよび／または添加剤、
ｃ．０〜３０重量部のオイル、および
ｄ．０．１〜１０重量部の硬化剤
を溶融混合することによる熱可塑性エラストマーの製造を含む。ここで、部分的に架橋されたゴム濃厚物、熱可塑性ポリマーおよび／または添加剤、オイルおよび硬化剤の重量部の合計は１００である。
【手続補正１０】
【補正対象書類名】明細書
【補正対象項目名】００２７
【補正方法】変更
【補正の内容】
【００２７】
好ましくは、熱可塑性エラストマーが
ａ．１５〜７０重量部の部分的に架橋されたゴム濃厚物、
ｂ．８５〜３０重量部の熱可塑性ポリマーおよび／または添加剤、
ｃ．０〜３０重量部のオイル、および
ｄ． ０．１〜５重量部の硬化剤
を溶融混合することにより製造される。ここで、部分的に架橋されたゴム濃厚物、熱可塑性ポリマーおよび／または添加剤、オイルおよび硬化剤の重量部の合計は１００である。
【手続補正１１】
【補正対象書類名】明細書
【補正対象項目名】００３９
【補正方法】変更
【補正の内容】
【００３９】
熱可塑性エラストマー（化合物３）が実施例２に従って製造された。ただし、ｌ／ｄ比２４／１を有する１．５インチKillion単軸押出機が使用された。